(57)【要約】【課題】合紙機能を実行中に用紙ジャムが発生した場合でも印刷を継続することが可能な印刷装置を提供する。【解決手段】印刷した用紙毎に指定された給紙トレイから用紙を挿入する合紙機能を有すると共に、用紙ジャムが発生した場合に備えて複数ページのジャムバックアップ情報を保持し、用紙ジャム解除後にジャムバックアップ情報を基に用紙ジャムを発生したページの画像データを再形成して印刷するジャムバックアップ処理機能を有する印刷装置において、合紙機能実行中に用紙ジャムが発生した場合、用紙ジャム解除後に、表示装置６に合紙機能を解除するかどうかを選択するための表示を行い、表示装置６にて合紙機能を解除する旨選択された場合に合紙機能を解除してジャムバックアップ処理を行う制御手段１を備えた。【選択図】　　　図１
2004074549.tif 000002
【特許請求の範囲】
【請求項１】
印刷した用紙毎に指定された給紙トレイから用紙を挿入する合紙機能を有すると共に、用紙ジャムが発生した場合に備えて複数ページのジャムバックアップ情報を保持し、用紙ジャム解除後にジャムバックアップ情報を基に用紙ジャムを発生したページの画像データを再形成して印刷するジャムバックアップ処理機能を有する印刷装置において、合紙機能実行中に用紙ジャムが発生した場合、用紙ジャム解除後に、表示装置に合紙機能を解除するかどうかを選択するための表示を行い、表示装置にて合紙機能を解除する旨選択された場合に合紙機能を解除してジャムバックアップ処理を行う制御手段を備えたことを特徴とする印刷装置。
【請求項２】
印刷した用紙毎に指定された給紙トレイから用紙を挿入する合紙機能を有すると共に、用紙ジャムが発生した場合に備えて複数ページのジャムバックアップ情報を保持し、用紙ジャム解除後にジャムバックアップ情報を基に用紙ジャムを発生したページの画像データを再形成して印刷するジャムバックアップ処理機能を有する印刷装置において、合紙機能実行中で同一ページについて連続して発生した用紙ジャムの発生回数を記録する合紙機能連続用紙ジャム回数記録部、合紙機能実行中で同一ページについて連続して発生する用紙ジャムの発生限度回数を保持しておく合紙機能連続用紙ジャム限度回数保持部を持ち、合紙機能実行中に用紙ジャムが発生した場合に、合紙機能連続用紙ジャム発生回数値と合紙機能連続用紙ジャム限度回数保持部に設定された合紙機能連続用紙ジャム限度回数値を比較し、合紙機能連続用紙ジャム発生回数値が合紙機能連続用紙ジャム限度回数値と同じか或いはそれを越えた場合、用紙ジャム解除後に、表示装置に合紙機能を解除するかどうかを選択するための表示を行い、表示装置にて合紙機能を解除する旨選択された場合に合紙機能を解除してジャムバックアップ処理を行う制御手段を備えたことを特徴とする印刷装置。
【請求項３】
印刷した用紙毎に指定された給紙トレイから用紙を挿入する合紙機能を有すると共に、用紙ジャムが発生した場合に備えて複数ページのジャムバックアップ情報を保持し、用紙ジャム解除後にジャムバックアップ情報を基に用紙ジャムを発生したページの画像データを再形成して印刷するジャムバックアップ処理機能を有する印刷装置において、合紙機能実行中に１つのジョブ内で発生した用紙ジャムの発生回数を記録する合紙機能用紙ジャム回数記録部、１つのジョブ内で発生する用紙ジャムの発生限度回数を保持しておく合紙機能用紙ジャム限度回数保持部を持ち、合紙機能実行中に用紙ジャムが発生した場合、合紙機能用紙ジャム発生回数値と合紙機能用紙ジャム限度回数保持部に設定された合紙機能用紙ジャム限度回数値を比較し、合紙機能用紙ジャム発生回数値が合紙機能用紙ジャム限度回数値と同じか或いはそれを越えた場合、用紙ジャム解除後に、表示装置に合紙機能を解除するかどうかを選択するための表示を行い、表示装置にて合紙機能を解除する旨選択された場合に合紙機能を解除してジャムバックアップ処理を行う制御手段を備えたことを特徴とする印刷装置。
【請求項４】
請求項２及び請求項３記載の印刷装置において、合紙機能の用紙ジャムの発生限度回数を規定する合紙機能連続用紙ジャム限度回数値や合紙機能用紙ジャム限度回数値を、操作パネル上または上位装置からの指示によって設定することを特徴する印刷装置。
【請求項５】
請求項１乃至請求項３の何れか一項に記載の制御手段によって実現される各機能を有効にするか無効にするかを、操作パネル上または上位装置からの指示によって設定することを特徴する印刷装置。
【発明の詳細な説明】
【０００１】
【発明の属する技術分野】
本発明は、ジャムバックアップ処理機能を有し、且つ、合紙機能を有する印刷装置に関するものである。
【０００２】
【従来の技術】
レーザープリンタ等、ページ単位で画像データ処理を行い印刷するページプリンタ（印刷装置）では、用紙ジャムが発生した場合に用紙ジャム解除後その用紙ジャムを発生したページの画像データを再形成して印刷するジャムバックアップ処理の機能を有する。また最近では、印刷した用紙毎に指定された給紙トレイから用紙を挿入する合紙機能を有する印刷装置も多い。
ここで、特開平６−２５３０８８号公報や特開平７−２９０７７２号公報では、ジャムバックアップ処理のために必要なバックアップ情報を保持する効率的な手段が開示されている。また、特開２０００−３２６５７０公報には、用紙ジャム解除後にジャムバックアップ処理を中止することが可能な印刷装置が開示されている。
【０００３】
【発明が解決しようとする課題】
印刷装置を使用するユーザーにとってジャムバックアップ処理の機能は大変便利な機能であることは言うまでもない。通常は詰まった用紙を取り除けば、ジャムバックアップ処理によって印刷処理が継続される。
しかし、詰まった用紙を取り除いても、実際には用紙ジャムの原因が、ユーザーが考えているものとは別の所にあり完全に解消されていない場合には、例えば機械的な不具合によって常にあるいは頻繁に合紙機能の実行中に用紙ジャムが発生するような場合には、ジャムバックアップ処理の機能が開始されてしまうと、合紙機能実行中のままなので再び用紙ジャムを引き起こしてしまう。このような場合に、ジャムバックアップ処理の機能を中止することができたり、合紙機能を解除することで用紙を排出することができれば便利である。
また最近は、ネットワーク環境で印刷装置を使用する場合が多く、上記のような状況などでジャムバックアップ処理を中止させようとしたときにその手段が分からないために、印刷装置の電源をＯＦＦにすることでジャムバックアップ処理を中止させてしまうというケースがあり、用紙ジャムを発生させたユーザーの印刷データ以外に、他のユーザーの印刷データまでも削除してしまうことになり問題を引き起こす場合もありうる。
本発明は、合紙機能を実行中に用紙ジャムが発生した場合でも印刷を継続することが可能な印刷装置を提供することを目的とする。
【０００４】
【課題を解決するための手段】
上記目的を達成するために、請求項１記載の発明は、印刷した用紙毎に指定された給紙トレイから用紙を挿入する合紙機能を有すると共に、用紙ジャムが発生した場合に備えて複数ページのジャムバックアップ情報を保持し、用紙ジャム解除後にジャムバックアップ情報を基に用紙ジャムを発生したページの画像データを再形成して印刷するジャムバックアップ処理機能を有する印刷装置において、合紙機能実行中に用紙ジャムが発生した場合、用紙ジャム解除後に、表示装置に合紙機能を解除するかどうかを選択するための表示を行い、表示装置にて合紙機能を解除する旨選択された場合に合紙機能を解除してジャムバックアップ処理を行う制御手段を備えた印刷装置を最も主要な特徴とする。
請求項２記載の発明は、印刷した用紙毎に指定された給紙トレイから用紙を挿入する合紙機能を有すると共に、用紙ジャムが発生した場合に備えて複数ページのジャムバックアップ情報を保持し、用紙ジャム解除後にジャムバックアップ情報を基に用紙ジャムを発生したページの画像データを再形成して印刷するジャムバックアップ処理機能を有する印刷装置において、合紙機能実行中で同一ページが連続して発生した用紙ジャムの発生回数を記録する合紙機能連続用紙ジャム回数記録部、合紙機能実行中で同一ページが連続して発生する用紙ジャムの発生限度回数を保持しておく合紙機能連続用紙ジャム限度回数保持部を持ち、合紙機能実行中に用紙ジャムが発生した場合に、合紙機能連続用紙ジャム発生回数値と合紙機能連続用紙ジャム限度回数保持部に設定された合紙機能連続用紙ジャム限度回数値を比較し、合紙機能連続用紙ジャム発生回数値が合紙機能連続用紙ジャム限度回数値と同じか越えた場合、用紙ジャム解除後に、表示装置に合紙機能を解除するかどうかを選択するための表示を行い、表示装置にて合紙機能を解除する旨選択された場合に合紙機能を解除してジャムバックアップ処理を行う制御手段を備えた印刷装置を最も主要な特徴とする。
【０００５】
請求項３記載の発明は、印刷した用紙毎に指定された給紙トレイから用紙を挿入する合紙機能を有すると共に、用紙ジャムが発生した場合に備えて複数ページのジャムバックアップ情報を保持し、用紙ジャム解除後にジャムバックアップ情報を基に用紙ジャムを発生したページの画像データを再形成して印刷するジャムバックアップ処理機能を有する印刷装置において、合紙機能実行中に１つのジョブ内で発生した用紙ジャムの発生回数を記録する合紙機能用紙ジャム回数記録部、１つのジョブ内で発生する用紙ジャムの発生限度回数を保持しておく合紙機能用紙ジャム限度回数保持部を持ち、合紙機能実行中に用紙ジャムが発生した場合、合紙機能用紙ジャム発生回数値と合紙機能用紙ジャム限度回数保持部に設定された合紙機能用紙ジャム限度回数値を比較し、合紙機能用紙ジャム発生回数値が合紙機能用紙ジャム限度回数値と同じか越えた場合、用紙ジャム解除後に、表示装置に合紙機能を解除するかどうかを選択するための表示を行い、表示装置にて合紙機能を解除する旨選択された場合に合紙機能を解除してジャムバックアップ処理を行う制御手段を備えた印刷装置を最も主要な特徴とする。
請求項４記載の発明は、請求項２及び請求項３記載の印刷装置において、合紙機能の用紙ジャムの発生限度回数を規定する合紙機能連続用紙ジャム限度回数値や合紙機能用紙ジャム限度回数値を、操作パネル上または上位装置からの指示によって設定する印刷装置を主要な特徴とする。
請求項５記載の発明は、請求項１乃至請求項３の何れか一項に記載の制御手段によって実現される各機能を有効にするか無効にするかを、操作パネル上または上位装置からの指示によって設定することを特徴する。
【０００６】
【発明の実施の形態】
以下、図面により本発明の実施の形態を詳細に説明する。
図１は本発明の実施の形態に係る印刷装置の制御系を示すブロック図である。ＣＰＵ（中央処理装置）１は印刷装置に接続されている入出力装置の制御、プログラムやメモリの管理などを行う。ＲＯＭ２は印刷描画制御や操作パネル制御など印刷装置全体を制御するシステムプログラムやプリンタ言語を処理するプログラム、フォントデータや印刷制御に使用する固定データが格納されている読み出し専用メモリである。
ＲＡＭ３はホストＩ／Ｆ（ホストインターフェース）５を介して入力される受信データを格納する受信用バッファや実際に用紙に印刷される画像データを作成するためのビットマップメモリ、ジャムバックアップ処理時に画像データを再形成するために必要なバックアップ情報の保持領域などに使用する読み書き可能なメモリである。ＮＶ−ＲＡＭ４は印刷に使用される設定データを電源ＯＦＦ時でも保持可能な読み書き可能なメモリである。
ホストＩ／Ｆ５は図示されていない上位装置との間で相互通信を行うインターフェースである。操作パネル６は印刷装置の様々な設定項目や印刷装置の状態などの表示や設定を行うための装置である。プリンタエンジン７は用紙の給紙や排紙及び画像データの用紙上への描画処理を行うハードウェア装置である。８はこれらを接続するバスである。
ＣＰＵ１、ＲＯＭ２、ＲＡＭ３、ＮＶ−ＲＡＭ４は制御手段を構成している。
【０００７】
本発明の実施形態では、ジャムバックアップ処理時に画像データを再形成するために必要なバックアップ情報の保持領域にＲＡＭ３を使用しているが、印刷装置にハードディスクなどの大容量の読み書き可能な記憶装置が装着している場合には、それらの大容量の読み書き可能な記憶装置も使用可能である。
一般に、印刷中に用紙ジャムが発生した場合には、プリンタエンジン７は用紙ジャムのステータスを印刷装置全体を制御するシステムプログラムに通知すると用紙の給紙／排紙動作を停止する。このとき、操作パネル６には、ユーザーに用紙ジャムが発生したことを通知するための表示が行われ、用紙ジャムを解除することを促す表示が行われる。
ユーザーによって用紙が取り除かれ用紙ジャムが解除されると、プリンタエンジン７はジャム解除のステータスあるいは印刷可能なレディ状態のステータスを印刷装置全体を制御するシステムプログラムに通知し、システムプログラムはＲＡＭ３に保持されている用紙ジャムが発生したページのバックアップ情報から画像データを再形成して印刷処理を行う。
【０００８】
図２は第１の制御例（請求項１の発明に対応）のフロー図である。合紙機能を実行中に用紙ジャムが発生した場合、用紙ジャム解除後（Ｓ１でＹＥＳ）、ジャムバックアップ処理を開始する前に、操作パネル６に合紙機能を解除するかどうかを選択するための表示を行う（Ｓ２）。
ユーザーが操作パネル６にて合紙機能を解除する旨選択した場合（Ｓ３でＹＥＳ）、ジャムバックアップ処理時に画像データを再形成するために必要なバックアップ情報の中の合紙機能を解除し（Ｓ４）、且つジャムバックアップ処理以降の印刷ジョブ終了までの残りページの合紙機能も解除する（Ｓ５）。
そして、合紙機能を解除したバックアップ情報を使用してジャムバックアップ処理を行い、合紙機能を解除して印刷を行う（Ｓ６）。ジャムバックアップ処理以降、印刷ジョブの終了まで残りのページも合紙機能を解除して印刷を行う。ユーザーが操作パネル６にて合紙機能を解除しない場合には、そのまま合紙機能を実行してジャムバックアップ処理が行われる。
【０００９】
図３は第２の制御例（請求項２の発明に対応）のフロー図である。合紙機能連続用紙ジャム回数値を格納する合紙機能連続用紙ジャム回数記録部９はＲＡＭ３に領域を確保し、合紙機能連続用紙ジャム限度回数値を格納する合紙機能連続用紙ジャム限度回数保持部１１はＮＶ−ＲＡＭ４に領域を確保する。合紙機能連続用紙ジャム限度回数保持部１１は、ＮＶ−ＲＡＭ４以外に電源ＯＦＦ時でも保持可能な読み書き可能なメモリや記憶装置であれば、そこに領域を確保して使用しても構わない。
合紙機能を実行中に用紙ジャムが発生した場合、合紙機能連続用紙ジャム回数記録部９の合紙機能連続用紙ジャム発生回数値をインクリメント（１を加算）する（Ｓ１）。用紙ジャムが解除された後（Ｓ２でＹＥＳ）、合紙機能連続用紙ジャム発生回数値と合紙機能連続用紙ジャム限度回数保持部１１の合紙機能連続用紙ジャム限度回数値を比較して（Ｓ３）、合紙機能連続用紙ジャム発生回数値が合紙機能連続用紙ジャム限度回数値より小さい場合には（Ｓ３でＮＯ）、ジャムバックアップ処理を行う（Ｓ４）。
ジャムバックアップ処理により印刷した用紙が用紙ジャムを発生させず正常に終了した場合（Ｓ５でＮＯ）、合紙機能連続用紙ジャム発生回数値をクリア（値に０をセット）して（Ｓ６）、次ページの印刷処理を行う。ジャムバックアップ処理により印刷した用紙が再び用紙ジャムを発生させた場合には、合紙機能連続用紙ジャム発生回数値をインクリメント（１を加算）する。
【００１０】
合紙機能を実行中に同一ページが連続して用紙ジャムを発生している場合、合紙機能連続用紙ジャム発生回数値がインクリメント（１を加算）されていく。用紙ジャムが解除後の合紙機能連続用紙ジャム発生回数値と合紙機能連続用紙ジャム限度回数値の比較において、合紙機能連続用紙ジャム発生回数値が合紙機能連続用紙ジャム限度回数値と同じか大きい場合には（Ｓ３でＹＥＳ）、第１の制御例と同様に、用紙ジャム解除後、ジャムバックアップ処理を開始する前に、操作パネル６に合紙機能を解除するかどうかの表示を行い（Ｓ７）、ユーザーが合紙機能の解除を選択できるようにする。
以下、第１の制御例と同様に、ユーザーが操作パネル６にて合紙機能の解除を選択した場合（Ｓ８でＹＥＳ）、ジャムバックアップ処理時に画像データを再形成するために必要なバックアップ情報の中の合紙機能を解除し（Ｓ９）、且つジャムバックアップ処理以降の印刷ジョブ終了までの残りページの合紙機能も解除する（Ｓ１０）。そして、合紙機能を解除したバックアップ情報を使用してジャムバックアップ処理を行い、合紙機能を解除して印刷を行う（Ｓ１１）。ジャムバックアップ処理以降、印刷ジョブの終了まで残りのページも合紙機能を解除して印刷を行う。
ユーザーが操作パネル６にて合紙機能を解除しない場合には、そのまま合紙機能を実行してジャムバックアップ処理が行われる。ユーザーが操作パネル６にて合紙機能を解除した場合、合紙機能連続用紙ジャム発生回数値をクリア（値に０をセット）して終了する。
このように、合紙機能を実行中に同一ページについて指定した回数以上連続して用紙ジャムを発生させたときに、合紙機能を解除して印刷出来るようにし、ジャムバックアップ処理以降、印刷ジョブの終了まで残りのページも合紙機能を解除して印刷を行うことができる。
【００１１】
図４は第３の制御例（請求項３の発明に対応）のフロー図である。合紙機能用紙ジャム回数値を格納する合紙機能用紙ジャム回数記録部１０はＲＡＭ３に領域を確保し、合紙機能用紙ジャム限度回数値を格納する合紙機能用紙ジャム限度回数保持部１２はＮＶ−ＲＡＭ４に領域を確保する。合紙機能用紙ジャム限度回数保持部１２は、ＮＶ−ＲＡＭ４以外に電源ＯＦＦ時でも保持可能な読み書き可能なメモリや記憶装置であれば、そこに領域を確保して使用しても構わない。
第２の制御例では、同一ページにおいて連続して合紙機能実行中に用紙ジャムが発生した場合の合紙機能連続用紙ジャム発生回数をカウントしたが、第３の制御例では合紙機能を実行中に１つの印刷ジョブ内で発生した用紙ジャムの発生回数をカウントする。
【００１２】
印刷ジョブ開始後（Ｓ１）、合紙機能を実行中に用紙ジャムが発生した場合には（Ｓ２でＹＥＳ）、合紙機能用紙ジャム回数記録部１０の合紙機能用紙ジャム発生回数値をインクリメント（１を加算）する（Ｓ３）。用紙ジャムが解除された後（Ｓ４でＹＥＳ）、合紙機能用紙ジャム発生回数値と合紙機能用紙ジャム限度回数保持部１２の合紙機能用紙ジャム限度回数値を比較して（Ｓ５）、合紙機能用紙ジャム発生回数値が合紙機能用紙ジャム限度回数値より小さい場合には（Ｓ５でＮＯ）、ジャムバックアップ処理を行う（Ｓ６）。
ジャムバックアップ処理により印刷した用紙が用紙ジャムを発生させず正常に終了した場合（Ｓ７〜Ｓ９）、次ページの印刷処理を行う。ジャムバックアップ処理により印刷した用紙が再び用紙ジャムを発生させた場合には、合紙機能用紙ジャム発生回数値をインクリメント（１を加算）する。印刷ジョブが終了すると（Ｓ９でＮＯ）、合紙機能用紙ジャム発生回数値をクリア（値に０をセット）して（Ｓ１０）終了する。
合紙機能を実行中での用紙ジャム解除後の合紙機能用紙ジャム発生回数値と合紙機能用紙ジャム限度回数値の比較において、合紙機能用紙ジャム発生回数値が合紙機能用紙ジャム限度回数値と同じか大きい場合には（Ｓ５でＹＥＳ）、第１の制御例と同様に、用紙ジャム解除後、ジャムバックアップ処理を開始する前に、操作パネル６に合紙機能を解除するかどうかの表示を行い（Ｓ１１）、ユーザーが合紙機能の解除を選択できるようにする。
以下、第１の制御例と同様に、ユーザーが操作パネル６にて合紙機能の解除を選択した場合（Ｓ１２でＹＥＳ）、ジャムバックアップ処理時に画像データを再形成するために必要なバックアップ情報の中の合紙機能を解除し（Ｓ１３）、且つジャムバックアップ処理以降の印刷ジョブ終了までの残りページの合紙機能も解除する（Ｓ１４）。そして、合紙機能を解除したバックアップ情報を使用してジャムバックアップ処理を行い、合紙機能を解除して印刷を行う（Ｓ１５）。ジャムバックアップ処理以降、印刷ジョブの終了まで残りのページも合紙機能を解除して印刷を行う。
ユーザーが操作パネル６にて合紙機能を解除しない場合には（Ｓ１２でＮＯ）、そのまま合紙機能を実行してジャムバックアップ処理が行われる。ユーザーが操作パネル６にて合紙機能を解除した場合、合紙機能用紙ジャム発生回数値をクリア（値に０をセット）して終了する。
このように、合紙機能を実行中に１つのジョブ内で指定した回数以上の用紙ジャムが発生したときに、合紙機能を解除して印刷できるようにし、ジャムバックアップ処理以降、印刷ジョブの終了まで残りのページも合紙機能を解除して印刷を行うことができる。
【００１３】
第１の制御例、第２の制御例、第３の制御例において、合紙機能を解除してジャムバックアップ処理を行った場合に、次の新たな印刷ジョブに対して最初から合紙機能を解除して印刷させることも可能である。
第４の制御例（請求項４の発明に対応）では、ＮＶ−ＲＡＭ４等の電源ＯＦＦ時でも保持可能な読み書き可能なメモリや記憶装置に保持される第２の制御例における合紙機能連続用紙ジャム限度回数保持部１１の合紙機能連続用紙ジャム限度回数値の設定や、第３の制御例における合紙機能用紙ジャム限度回数保持部１２の合紙機能用紙ジャム限度回数値の設定は、印刷装置の操作パネル６からの入力指示、あるいは上位装置からの指示によって行われる。
第５の制御例（請求項５の発明に対応）では、合紙機能を実行中の用紙ジャム発生時において、制御手段による第１の制御例、第２の制御例、第３の制御例の機能を有効とするか無効とするかの設定を、ＮＶ−ＲＡＭ４（ＮＶ−ＲＡＭ４以外に電源ＯＦＦ時でも保持可能な読み書き可能なメモリや記憶装置であれば構わない）にそれぞれ保持しておき、その設定内容によって、第１の制御例、第２の制御例、第３の制御例の機能を実行する。有効を示す値が設定されている場合には機能を実行し、無効を示す値が設定されている場合には機能が実行されない。第１の制御例、第２の制御例、第３の制御例の機能を有効とするか無効とするかの設定は、印刷装置の操作パネル６からの入力指示、あるいは上位装置からの指示によって行われる。
【００１４】
【発明の効果】
以上説明したように、請求項１記載の発明によれば、合紙機能を実行中での用紙ジャム解除後にユーザーが合紙機能を解除して印刷を行えるので、ジャムバックアップ処理中止により印刷データを破棄する必要がなく印刷処理を継続でき、印刷データの破棄による上位装置からの印刷データの再送信の必要がなくなる。請求項２記載の発明によれば、合紙機能を実行中での用紙ジャムにおいて、同一ページが連続して用紙ジャムを発生する場合に、用紙ジャム解除後にユーザーが合紙機能を解除して印刷が行えるので、ジャムバックアップ処理中止により印刷データを破棄する必要がなく印刷処理を継続でき、印刷データの破棄による上位装置からの印刷データの再送信の必要がなくなる。
請求項３記載の発明によれば、合紙機能を実行中での用紙ジャムにおいて、１つの印刷ジョブ内で用紙ジャムを頻繁に発生する場合に、用紙ジャム解除後にユーザーが合紙機能を解除して印刷が行えるので、ジャムバックアップ処理中止により印刷データを破棄する必要がなく印刷処理を継続でき、印刷データの破棄による上位装置からの印刷データの再送信の必要がなくなる。
請求項４記載の発明によれば、合紙機能を実行中の用紙ジャムの発生限度回数を規定する合紙機能連続用紙ジャム限度回数値や合紙機能用紙ジャム限度回数値を操作パネル上または上位装置からの指示によって設定できることで、ユーザーは必要に応じて変更することができる。
請求項５記載の発明によれば、請求項１の機能、請求項２の機能、請求項３の機能を有効とするか無効とするかを、操作パネル上からの設定または上位装置からの指示によって設定できることで、ユーザーは必要に応じて機能を選択することができる。
【図面の簡単な説明】
【図１】本発明の実施の形態に係る印刷装置の制御系を示すブロック図である。
【図２】第１の制御例（請求項１の発明に対応）のフロー図である。
【図３】第２の制御例（請求項２の発明に対応）のフロー図である。
【図４】第３の制御例（請求項３の発明に対応）のフロー図である。
【符号の説明】
１　ＣＰＵ（制御手段）
３　ＲＡＭ
４　ＮＶ−ＲＡＭ
６　操作パネル（表示装置）
９　合紙機能連続用紙ジャム回数記録部
１０　合紙機能用紙ジャム回数記録部
１１　合紙機能連続用紙ジャム回数保持部
１２　合紙機能用紙ジャム限度回数保持部
【図１】
2004074549.tif 000003
【図２】
2004074549.tif 000004
【図３】
2004074549.tif 000005
【図４】
2004074549.tif 000006